(57)【要約】【課題】  不特定多数のユーザが無線通信を使って情報交換を行う場合でも、通信を行う通信端末同士が、特定のユーザの通信端末であることを確認し、安全にデータ交換を行うことができる通信アクセス方法、および通信装置を提供する。【解決手段】  マスタ端末１およびスレーブ端末３は、無線によるデータの送受信を行う無線通信手段と、通信を制御する制御手段と、ユーザの身体の一部からユーザの心拍運動を検出する心拍検出手段をそれぞれ有し、前記マスタ端末およびスレーブ端末は、前記心拍検出手段により検出したユーザの心拍運動のピークに同期して通信アクセス制御動作を行うことにより、前記マスタ端末は、同一のユーザの所持する前記スレーブ端末を特定して、固有の通信確立を行うことができる。【選択図】  図１
2009033480.tif 000002
【特許請求の範囲】
【請求項１】
複数の通信端末が相互に無線通信により、データを交換する通信アクセス方法において、
通信アクセス手順を開始するマスタ端末は、無線によるデータの送受信を行う無線通信手段と、通信を制御する制御手段と、ユーザの身体の一部からユーザの心拍運動を検出する心拍検出手段とを有し、
前記マスタ端末の発呼に応じて応答するスレーブ端末は、無線によるデータの送受信を行う無線通信手段と、通信を制御する通信制御手段と、ユーザの身体の一部からユーザの心拍運動を検出する心拍検出手段とを有し、
前記マスタ端末は、前記心拍検出手段により検出したユーザの心拍運動のピークに同期して通信アクセス手順を開始し、
前記スレーブ端末は、前記心拍検出手段により検出したユーザの心拍運動のピークに同期して前記通信アクセス手順の開始手順に対する応答を送出し、
前記マスタ端末は、該スレーブ端末からの前記通信アクセス手順の開始手順に対する応答を受信して、該マスタ端末を所持するユーザ自身が所持するスレーブ端末を特定し、該両端末間で固有の通信確立を行う、
ことを特徴とする通信アクセス方法。
【請求項２】
請求項１に記載の通信アクセス方法において、
前記マスタ端末は、その前記通信アクセス手順の開始手順を、該マスタ端末を所持するユーザの心拍運動のピークから特定の時間的範囲内に行う、
ことを特徴とする通信アクセス方法。
【請求項３】
請求項１に記載の通信アクセス方法において、
前記スレーブ端末は、その前記通信アクセス手順の開始手順に対する応答の送出を、該スレーブ端末を所持するユーザの心拍運動のピークから特定の時間的範囲内に受信した無線信号に対して行う、
ことを特徴とする通信アクセス方法。
【請求項４】
請求項１に記載の通信アクセス方法において、
前記マスタ端末は、該マスタ端末が行った前記通信アクセス手順の開始手順に対するスレーブ端末よりの応答が１つあった場合には、該マスタ端末を所持するユーザの心拍運動の第２のピークに同期して、該スレーブ端末に対して通信接続の予約コードを応答する通信アクセス予約手順を行う、
ことを特徴とする通信アクセス方法。
【請求項５】
請求項４に記載の通信アクセス方法において、
前記マスタ端末は、該マスタ端末が行った前記通信アクセス予約手順に対するスレーブ端末よりの応答があった場合には、該マスタ端末を所持するユーザの心拍運動の第３のピークに同期して、該スレーブ端末との間での通信を確立する通信接続手順を行う、
ことを特徴とする通信アクセス方法。
【請求項６】
請求項１に記載の通信アクセス方法において、
前記マスタ端末は、該マスタ端末が行った前記通信アクセス手順の開始手順に対するスレーブ端末よりの応答が複数あった場合には、該マスタ端末を所持するユーザの心拍運動のピークに同期して、全てのスレーブ端末に対して通信アクセス手順の第２の手順であるリトライ制御手順を、これに応答するスレーブ端末が１台になるまで行い、該１台のスレーブ端末との間で通信確立を行う、
ことを特徴とする通信アクセス方法。
【請求項７】
請求項１に記載する通信アクセス方法において、
前記マスタ端末は、該マスタ端末が行った前記通信アクセス手順の開始手順に対するスレーブ端末よりの応答が複数あった場合には、その受信した応答の信号電力について重み付けを行い、該マスタ端末を所持するユーザの心拍運動のピークに同期して、該重み付けの順に、順次、スレーブ端末を特定した通信アクセス手順の第２の手順であるリトライ制御手順を、これに応答するスレーブ端末が１台になるまで行い、該１台のスレーブ端末との間で通信確立を行う、
ことを特徴とする通信アクセス方法。
【請求項８】
複数の通信端末が相互に無線通信により、データを交換する無線通信システムにおいて、
通信アクセス手順を開始するマスタ端末は、無線によるデータの送受信を行う無線通信手段と、通信を制御する制御手段と、ユーザの身体の一部からユーザの心拍運動を検出する心拍検出センサとを有し、
前記マスタ端末の発呼に応じて応答するスレーブ端末は、無線によるデータの送受信を行う無線通信手段と、通信を制御する通信制御手段と、ユーザの身体の一部からユーザの心拍運動を検出する心拍検出センサとを有し、
前記マスタ端末は、前記心拍検出センサにより検出したユーザの心拍運動のピークに同期して通信アクセス手順を開始し、
前記スレーブ端末は、前記心拍検出センサにより検出したユーザの心拍運動のピークに同期して前記通信アクセス手順の開始手順に対する応答を送出し、
前記マスタ端末は、該スレーブ端末からの前記通信アクセス手順の開始手順に対する応答を受信して、該マスタ端末を所持するユーザ自身が所持するスレーブ端末を特定し、該両端末間で固有の通信確立を行う、
ことを特徴とする無線通信システム。
【発明の詳細な説明】
【技術分野】
【０００１】
本発明は、無線通信を使用して通信を行う複数の無線端末が存在する中で、特定の無線端末間で通信アクセス制御を行い、通信を確立する通信アクセス手順を実行する通信アクセス方法、および無線通信システムに関する。
【０００２】
特に、無線端末間でユーザの固有の情報を交換するような、特定のユーザが所持する無線端末の確認を必要とする無線通信システムの通信アクセス方法、および無線通信システムに関するものである。
【背景技術】
【０００３】
従来の無線通信端末間の通信アクセス方法では、通信端末が固有のＩＤを保持し、通信が必要な通信端末には、あらかじめ相手端末のＩＤを登録して、通信を行う場合には前記ＩＤにより固有の通信端末を選択して通信確立を行う。
【０００４】
たとえば、ＴＣＰ／ＩＰプロトコルを使用した無線ＬＡＮシステムでは、通信端末のＩＤとなるＭＡＣアドレス、通信を行う上で必要な論理的なＩＰアドレス、ユーザが端末を識別するためのホスト名があり、それぞれが関連して通信を行う。ユーザは、特定の通信端末とデータの交換が必要な場合は、ホスト名を指定して通信アクセス手順を行う。宛先のホスト名は、ＩＰアドレス、ＭＡＣアドレスと関連付けされており、特定の通信端末のホスト名を指定することにより、特定の通信端末と通信を行うことができる。
【０００５】
さらに、通信を行うユーザが適当なユーザかどうかを判定するためには、あらかじめ通信端末にはユーザ情報の登録を行い、ユーザはデータの交換を行う場合に、正規のユーザを証明するために、ユーザＩＤとパスワードにてログイン作業を行う。
【０００６】
第２の方法として、通信端末には入力装置を持ち、通信端末にユーザから端末識別情報を入力し、宛先の通信端末に送信する。同様に、宛先の端末装置にも同じ端末識別情報を入力し、双方の端末識別情報が一致することを確認することにより、特定のユーザが所有する通信端末であることを確認する方法がある（たとえば特許文献１参照）。
【０００７】
第３の方法として、通信機器にはユーザ固有のＩＤを保持し、ユーザの携帯する複数の端末には、前記ＩＤを分割して保持し、通信機器が特定のユーザを識別するためには、前記複数の通信端末から送られてくる分割したＩＤを組み合わせた結果、前記ユーザ固有のＩＤと一致した場合には、正規のユーザと確認して、通信確立を行う方法がある（たとえば特許文献２参照）。
【特許文献１】特開２００２−１５０３３９号公報
【特許文献２】特開２００２−２６９０５４号公報
【発明の開示】
【発明が解決しようとする課題】
【０００８】
しかしながら、従来の無線ＬＡＮシステムの構成では、ホスト名という公知な識別子を用いて特定の通信端末と通信を確立し、ユーザを確認する手段としてログイン作業を行わなければならない。
【０００９】
このログイン作業は、ユーザを識別するユーザＩＤとパスワードをあらかじめ通信端末に登録しておく必要があり、不特定多数のユーザがアクセスを行う場合は、新規のユーザが加入するたびに登録作業が発生するため、対応できない。
【００１０】
また、特許文献１に記載する方法では、ユーザがそれぞれの通信端末から、ユーザが入力した端末識別情報を確認することが必要であるため、入力作業と確認作業の煩雑な作業が発生する。
【００１１】
そして、特許文献２に記載する方法では、通信機器が原ＩＤを復元するためには、複数の端末全てが必要となるものであり、かつ、原ＩＤはあらかじめ登録しておく必要があるため、不特定多数のユーザがアクセスする場合には、対応できない。
【００１２】
本発明は、前記従来の課題を解決するためになされたもので、不特定多数のユーザが無線通信を使って情報交換を行う場合でも、通信を行う通信端末同士が、特定のユーザの通信端末であるかを確認し、安全にデータ交換を行うことができる通信アクセス方法、および無線通信システムを提供することを目的とする。
【課題を解決するための手段】
【００１３】
前記従来の課題を解決するために、本発明の請求項１にかかる通信アクセス方法は、複数の通信端末が相互に無線通信により、データを交換する通信アクセス方法において、通信アクセス手順を開始するマスタ端末は、無線によるデータの送受信を行う無線通信手段と、通信を制御する制御手段と、ユーザの身体の一部からユーザの心拍運動を検出する心拍検出手段とを有し、前記マスタ端末の発呼に応じて応答するスレーブ端末は、無線によるデータの送受信を行う無線通信手段と、通信を制御する通信制御手段と、ユーザの身体の一部からユーザの心拍運動を検出する心拍検出手段とを有し、前記マスタ端末は、前記心拍検出手段により検出したユーザの心拍運動のピークに同期して通信アクセス手順を開始し、前記スレーブ端末は、前記心拍検出手段により検出したユーザの心拍運動のピークに同期して前記通信アクセス手順の開始手順に対する応答を送出し、前記マスタ端末は、該スレーブ端末からの前記通信アクセス手順の開始手順に対する応答を受信して、該マスタ端末を所持するユーザ自身が所持するスレーブ端末を特定し、該両端末間で固有の通信確立を行う、ことを特徴とするものである。
【００１４】
また、本発明の請求項２にかかる通信アクセス方法は、請求項１に記載の通信アクセス方法において、前記マスタ端末は、その前記通信アクセス手順の開始手順を、該マスタ端末を所持するユーザの心拍運動のピークから特定の時間的範囲内に行う、ことを特徴とするものである。
【００１５】
また、本発明の請求項３にかかる通信アクセス方法は、請求項１に記載の通信アクセス方法において、前記スレーブ端末は、その前記通信アクセス手順の開始手順に対する応答の送出を、該スレーブ端末を所持するユーザの心拍運動のピークから特定の時間的範囲内に受信した無線信号に対して行う、ことを特徴とするものである。
【００１６】
また、本発明の請求項４にかかる通信アクセス方法は、請求項１に記載の通信アクセス方法において、前記マスタ端末は、該マスタ端末が行った前記通信アクセス手順の開始手順に対するスレーブ端末よりの応答が１つあった場合には、該マスタ端末を所持するユーザの心拍運動の第２のピークに同期して、該スレーブ端末に対して通信接続の予約コードを応答する通信アクセス予約手順を行う、ことを特徴とするものである。
【００１７】
また、本発明の請求項５にかかる通信アクセス方法は、請求項４に記載の通信アクセス方法において、前記マスタ端末は、該マスタ端末が行った前記通信アクセス予約手順に対するスレーブ端末よりの応答があった場合には、該マスタ端末を所持するユーザの心拍運動の第３のピークに同期して、該スレーブ端末との間での通信を確立する通信接続手順を行う、ことを特徴とするものである。
【００１８】
また、本発明の請求項６にかかる通信アクセス方法は、請求項１に記載の通信アクセス方法において、前記マスタ端末は、該マスタ端末が行った前記通信アクセス手順の開始手順に対するスレーブ端末よりの応答が複数あった場合には、該マスタ端末を所持するユーザの心拍運動のピークに同期して、全てのスレーブ端末に対して通信アクセス手順の第２の手順であるリトライ制御手順を、これに応答するスレーブ端末が１台になるまで行い、該１台のスレーブ端末との間で通信確立を行う、ことを特徴とするものである。
【００１９】
また、本発明の請求項７にかかる通信アクセス方法は、請求項１に記載の通信アクセス方法において、前記マスタ端末は、該マスタ端末が行った前記通信アクセス手順の開始手順に対するスレーブ端末よりの応答が複数あった場合には、その受信した応答の信号電力について重み付けを行い、該マスタ端末を所持するユーザの心拍運動のピークに同期して、該重み付けの順に、順次、スレーブ端末を特定した通信アクセス手順の第２の手順であるリトライ制御手順を、これに応答するスレーブ端末が１台になるまで行い、該１台のスレーブ端末との間で通信確立を行う、ことを特徴とするものである。
【００２０】
また、本発明の請求項８にかかる無線通信システムは、複数の通信端末が相互に無線通信により、データを交換する無線通信システムにおいて、通信アクセス手順を開始するマスタ端末は、無線によるデータの送受信を行う無線通信手段と、通信を制御する制御手段と、ユーザの身体の一部からユーザの心拍運動を検出する心拍検出センサとを有し、前記マスタ端末の発呼に応じて応答するスレーブ端末は、無線によるデータの送受信を行う無線通信手段と、通信を制御する通信制御手段と、ユーザの身体の一部からユーザの心拍運動を検出する心拍検出センサとを有し、前記マスタ端末は、前記心拍検出センサにより検出したユーザの心拍運動のピークに同期して通信アクセス手順を開始し、前記スレーブ端末は、前記心拍検出センサにより検出したユーザの心拍運動のピークに同期して前記通信アクセス手順の開始手順に対する応答を送出し、前記マスタ端末は、該スレーブ端末からの前記通信アクセス手順の開始手順に対する応答を受信して、該マスタ端末を所持するユーザ自身が所持するスレーブ端末を特定し、該両端末間で固有の通信確立を行う、ことを特徴とするものである。
【発明の効果】
【００２１】
本発明の通信アクセス方法、および無線通信システムによれば、マスタ端末とスレーブ端末との間で、ユーザの心拍運動のピークに同期して通信アクセス手順を行い、端末間の通信確立を行なうようにしたから、不特定多数のユーザが無線通信を使って情報交換する場合でも、通信を行う通信端末同士が、特定のユーザの通信端末であることを確認し、安全にデータ交換をすることができる効果がある。
【発明を実施するための最良の形態】
【００２２】
以下に、本発明による通信アクセス方法および無線通信システムの実施の形態を、図面とともに詳細に説明する。
（実施の形態１）
【００２３】
図１は、本発明の実施の形態１による無線通信システムの概要を示すイメージ図である。
【００２４】
図１において、血圧測定器１を使用して、ユーザは、自分の血圧測定を行っていることを表している。ユーザは、カフ２を右手上腕部に装着し、測定開始スイッチ４を押すことにより、血圧測定の一連の動作を開始する。測定が終了すると、モニタ６に結果を表示し、ユーザは血圧値を確認することができる。
【００２５】
ユーザの左手に携帯する時計型携帯機３は、血圧測定器１で測定した血圧データを無線通信によりデータの取得を行い、これを記録する携帯型の装置である。
【００２６】
血圧測定器１は、血圧の測定を完了すると、無線通信手段により、自動的にユーザの携帯する時計型携帯機３を探し、ユーザ本人の時計型携帯機３と確認すれば、データを転送する。この場合、ユーザは、自己のデータの転送に関して何も操作をしない。あくまでも血圧測定器１と、時計型携帯機３との間ですべての手順を自動的に実行する。
【００２７】
図２は、前記血圧測定器１の構成を示す図である。
【００２８】
血圧測定器本体２３は、システム全体の制御を行うコントローラ１９と、表示用のモニタ２０、カフ１０の阻血袋１１の空気圧を制御する加圧／排気部１４と、カフ１０にある脈波検出センサ１５の信号を検出する脈波検出部１６と、カフ１０にある心拍センサ１７の信号を検出する心拍検出部１８と、スイッチ操作の制御を行うスイッチ部２４と、無線通信を行う無線通信部２１と、アンテナ２２とからなる。無線通信部２１では、無線アクセス手順として、ＣＳＭＡ／ＣＡ（Ｃａｒｒｉｅｒ  Ｓｅｎｓｅ  Ｍｕｌｔｉｐｌｅ  Ａｃｃｅｓｓ  Ｗｉｔｈ  Ｃｏｌｌｉｓｉｏｎ  Ａｖｏｉｄａｎｃｅ）を使用する。
【００２９】
ユーザは、スイッチ操作により血圧の測定をスタートすると、コントローラ１９は、血圧測定の手順に従い、加圧／排気部１４により阻決袋１１を制御し、ユーザの脈の状態を脈波検出部１６によってモニタしながら血圧値を測定し、結果をモニタ２０に表示する。心拍センサ１７は、測定開始より常時、ユーザの心拍状態をモニタする。
【００３０】
血圧値の測定が終了すると、結果のデータは、無線通信部２１を通じて無線通信により、前記時計型携帯機３に伝送される。
【００３１】
図３は、前記時計型携帯機３の構成を示す図である。
【００３２】
前記時計型携帯機３は、システム全体の制御を行う携帯機コントローラ３０と、時計や通信データの結果などを表示するモニタ３１と、通信データを記録する記録用メモリ３２と、ユーザの心拍信号を検出する心拍センサ３４と、心拍検出部３３と、無線通信の制御を行う無線通信部３５と、アンテナ３６とから構成される。無線通信部３５では、無線アクセス手順として、ＣＳＭＡ／ＣＡ（Ｃａｒｒｉｅｒ  Ｓｅｎｓｅ  Ｍｕｌｔｉｐｌｅ  Ａｃｃｅｓｓ  Ｗｉｔｈ  Ｃｏｌｌｉｓｉｏｎ  Ａｖｏｉｄａｎｃｅ）を使用する。
【００３３】
図４は、心拍検出部３３の構成と、心拍信号を示す図である。
【００３４】
心拍センサ３４からの心拍信号４０は、アンプ４４で適当に増幅される。心拍信号４０には、Ｐ波、Ｑ波、Ｒ波、Ｓ波、Ｔ波などの波があるが、Ｒ波のみを検出するように、ハイパスフィルタ４５で低周波成分を除去する。この波形を表すのが、フィルタ後信号４１である。ハイパスフィルタ４５の出力は、比較器４６において閾値４３と比較して２値化され、心拍パルス信号４２となる。
【００３５】
心拍センサ３４、および心拍検出部３３の構成は、血圧測定器１と、時計型携帯機３とで同じ構成である。したがって、ユーザが血圧測定を行っている期間は、同じユーザの心拍パルス信号を、２つの機器で同時に測定していることになる。
【００３６】
以下、本実施の形態１による無線通信システムにおける通信アクセス方法について、図５、および図６のタイムチャートを用いて説明する。
【００３７】
図５は、本実施の形態１による通信アクセス方法における通信アクセス制御のタイムチャートを示す図である。
【００３８】
図５には、血圧測定器の心拍パルス信号５０と、血圧測定器の無線通信出力５１とが示されている。同様に、時計型携帯機の心拍パルス信号５２と、時計型携帯機の無線通信出力５３とが示されている。
【００３９】
血圧測定器１と、時計型携帯機３との間での無線通信アクセス制御は、血圧測定器１がユーザの心拍信号を検出したときに開始される。
【００４０】
血圧測定器１のカフ２をユーザが腕に装着すれば、心拍パルス信号５０にはユーザの心拍運動の最初のピークである最初のパルス５５が検出される。この信号により、血圧測定器１はユーザが使用状態になったことを検出し、測定結果のデータを転送する準備として、現在使用中のユーザの時計型携帯端末３を探索し、通信確立を行う。
【００４１】
血圧測定器１は、最初のパルス５５から任意の時間区間である接続可能期間５８以内に、通信アクセス手順の開始手順として、接続要求パケット５６をブロードキャストする。
【００４２】
図７は、該血圧測定器１が発する接続要求パケット５６のパケット構成を示す。
【００４３】
ヘッダ部１００は、送信先を示す宛先アドレス１０１と、送信元アドレス１０２と、通信制御のための制御情報１０３とで構成される。その後に、データが格納されるペイロード部１０４があり、ヘッダ部１００と、ペイロード部１０４のデータから、エラー検出を行うためコードを生成し、ＣＲＣ部１０５に格納する。
【００４４】
前記接続要求パケット５６のヘッダ部１００は、宛先アドレス１０１としてブロードキャストアドレス、送信元アドレス１０２として自局のアドレスが入って構成される。ペイロード部１０４には、接続要求を示すコマンドが入る。
【００４５】
時計型携帯機３は、ユーザの心拍信号を常にモニタしているので、心拍パルス信号を検出する毎に接続可能期間５８の間は、他の端末からの接続要求信号を受信している。また、該時計型携帯機３は、前記血圧測定器１が送出した接続要求パケット５６を受信すると、この接続要求パケット５６の受信に対して、アクノレッジ５７を応答する。
【００４６】
該アクノレッジ５７は、図７に示すパケット構成を有し、該アクノレッジ５７のヘッダ部１００には宛先アドレス１０１として血圧測定器のアドレス、送信元アドレス１０２には自局アドレスが格納される。そして制御情報１０３のアクノレッジフラグをＯＮにする。アクノレッジの応答にはペイロード部にデータはない。その後、ＣＲＣを生成してアクノレッジパケットとする。
【００４７】
血圧測定器１は、アクノレッジ５７を受信すると、その送信元アドレスから接続要求を行っている端末を知ることができる。また、血圧測定器１は、ユーザの心拍運動の第２のピークである第２のパルス６３のタイミングで、通信アクセス予約手順として接続予約パケット５９を送出する。接続予約パケット５９の宛先アドレスには、該アクノレッジ５７を送信した送信元アドレスを指定し、そのペイロード部には、予約コードを格納する。
【００４８】
時計型携帯機３は、心拍パルス信号５２のタイミングから接続可能期間５８の間に、前記接続予約パケット５９を受信したときには、当該パケットのペイロード部の予約コードを記憶する。そして、この接続予約パケット５９の受信に対して、アクノレッジ６０を応答する。
【００４９】
血圧測定器１は、前記アクノレッジ６０を受信したときは、これを、現在血圧測定のためにカフ２を装着したユーザの携帯する時計型携帯機３からの応答であると判断し、ユーザの心拍運動の第３のピークである第３のパルス６４のタイミングで、接続確認パケット６１を送出する。該接続確認パケット６１の宛先アドレスには、前記アクノレッジ５７およびアクノレッジ６０を応答した唯一の端末である前記時計型携帯機３のアドレスが入る。そのペイロード部には、前記予約コードと、接続確認のコマンドを格納する。
【００５０】
前記時計型携帯機３では、前記接続確認パケット６１を受信すると、該接続確認パケットの予約コードと、前記接続予約パケット５９の予約コードとが一致することから、接続先のアドレスが間違いないことを確認して、前記接続確認パケット６１の受信についてのアクノレッジ６２を応答する。血圧測定器１は、このアクノレッジ６２を受信して該時計型携帯機３との間での通信確立を行う（通信接続手順）。
【００５１】
ここで、最初のパルス５５を検出してからアクノレッジ６２を受信するまでの区間を、通信アクセス区間６５とし、アクノレッジ６２を受信したときからを、通信区間６６としている。
【００５２】
通信区間６６では、血圧測定器１と、時計型携帯機３との通信は、心拍パルス信号に同期するタイミングで行う必要はなく、データの交換が必要なときにランダムに行うことができる。
【００５３】
血圧測定５４は、前記した通信アクセス手順とは独立して行われ、図１に示すようにユーザが測定開始スイッチ４を押すことによりスタート６７となり、以降は測定が終了するまで測定中６８となる。
【００５４】
図６は、本実施の形態１による通信アクセス方法における、無線通信切断シーケンスのタイムチャートを示す図である。
【００５５】
心拍パルス信号７０は、血圧測定器の検出した心拍パルス信号である。図６の心拍パルス信号７０には信号が図示されていないのは、ユーザがカフをはずしたため、心拍パルスを検出していない状態であることを示している。
【００５６】
無線通信出力７１は、血圧測定器１の無線通信部の出力信号である。
【００５７】
心拍パルス信号７２は、時計型携帯機３の検出した心拍パルス信号である。無線通信出力７３は、時計型携帯機３の無線通信部の出力信号である。
【００５８】
血圧測定器１が血圧の測定完了７４になれば、血圧測定器１は測定したデータを通信確立が成立した時計型携帯端末３に送信するためにデータ７５を送出する。時計型携帯機３は、自局宛のデータを受信し、記録メモリに保存し、アクノレッジ７６を応答する。このデータ交換はランダムに行うことができる。
【００５９】
血圧測定器１がデータ送信を完了すると、血圧測定器１は、切断シーケンスを開始するため、切断要求パケット７７を時計型携帯機３に送信する。自局宛の切断要求パケット７７を受信した時計型携帯機３は、切断が可能であれば、切断要求パケット７７の受信に対して、アクノレッジ７８を応答する。
【００６０】
所要の時計型携帯機３からアクノレッジ７８を受信した血圧測定器１は、切断パケット７９を送出して、切断を通知する。
【００６１】
自局宛の前記切断パケット７９を受信した時計型携帯機３は、この切断パケット７９の受信に対して、アクノレッジ９０を応答する。
【００６２】
血圧測定器１と、時計型携帯機３との間の通信は、該アクノレッジ９０により切断状態となる。
【００６３】
以上の動作において、図５に示される最初のパルス５５により、血圧測定器１は接続要求パケット５６を送出するが、この接続要求パケット５６に対してもし複数の時計型携帯機器からの応答があった場合は、ユーザの誤認を生ずる可能性がある。
【００６４】
たとえば、図８に示すように、血圧測定器１１０の通信エリア１３４の中に、同じ通信機能をもつ正規ユーザの時計型携帯機１１１と、不正規ユーザの時計型携帯機１１２が存在し、これらの２つの時計型携帯機を所有する各ユーザの心拍信号が、たまたま一致する場合がある。このような場合には、血圧測定器１１０が送出する接続要求パケットに対して、複数の時計型携帯機器１１１、１１２からの応答がある。
【００６５】
次に、本実施の形態１による通信アクセス方法における、複数端末からの応答があった場合の通信アクセス制御について、図９のタイムチャートを用いて説明する。
【００６６】
図９は、本実施の形態１による通信アクセス方法における、複数端末からの応答があった場合の通信アクセス制御のタイムチャートを示す図である。
【００６７】
図９において、心拍パルス信号１１３は、血圧測定器１１０の検出した心拍パルスである。無線通信信号出力１１４は、血圧測定器１１０の無線通信部の送信する信号出力である。
【００６８】
正規ユーザの心拍パルス信号１１５は、正規ユーザの時計型携帯機１１１が検出した心拍パルス信号である。無線通信信号出力１１６は、正規ユーザの時計型携帯機１１１の無線通信部の送信する信号出力である。
【００６９】
不正規ユーザの心拍パルス信号１１７は、血圧測定器周辺にたまたま存在する不正規ユーザの時計型携帯機１１２の検出した心拍パルス信号である。無線通信信号出力１１８は、不正規ユーザの時計型携帯機１１２の無線通信部の送信する信号出力である。
【００７０】
血圧測定器１１０がユーザの最初の心拍パルス信号１１９を検出すると、該血圧測定器１１０は、接続可能期間１３２以内に全端末に向けて接続要求パケット１２２を送信する。正規ユーザの時計型携帯機１１１は、血圧測定器１１０がユーザの最初の心拍パルス信号１１９（それに続く接続可能期間は、１３２）を検出するのと同じタイミングで心拍パルス信号１２０を検出し、このとき、前記接続要求パケット１２２を受信する。不正規ユーザの時計型携帯機１１２は、その検出した心拍パルス信号１２１、およびそれに続く接続可能期間１３３が、たまたま同じタイミングの場合は、前記血圧測定器１１０が発した接続要求パケット１２２を、自局宛の接続要求パケットと誤認する。
【００７１】
この場合、正規ユーザの時計型携帯機１１１は、ＣＳＭＡ／ＣＡの無線アクセス手順により、前記接続要求パケット１２２の受信に対して、アクノレッジ１２３を応答し、不正規ユーザの時計型携帯機１１２は、ＣＡＭＳ／ＣＡの無線アクセス手順により、前記接続要求パケット１２２の受信に対して、アクノレッジ１２４を応答する。
【００７２】
正規ユーザのアクノレッジ１２３と、不正規ユーザのアクノレッジ１２４を受信した血圧測定器１１０は、次の接続予約パケットの宛先が２つの選択肢となるため、誤接続を行ってしまう可能性を認識する。
【００７３】
そこで、血圧測定器１１０は、第２のパルス１２５のタイミングで、通信アクセス手順の第２の手順であるリトライ制御手順としてリトライパケット１２６を送信する。正規ユーザの時計型携帯機１１１は、何度受信しても心拍パルス信号のタイミングが近いため、心拍パルス信号１２７による接続可能期間１３１で、リトライパケット１２６を受信できる。しかし一方、不正規ユーザの時計型携帯機１１２は、その検出する心拍パルス信号１２８は第２のパルス１２５と非同期なため、心拍パルス信号１２８による接続可能期間１２９では、リトライパケット１２６を正規に受信できない。
【００７４】
したがって、リトライパケット１２６に対するアクノレッジ１３０は、正規ユーザの時計型携帯機１１１からのみ応答される。このリトライパケットを用いたリトライ制御手順は、応答する時計型携帯機が最後の１台になるまで繰り返し行われる。
【００７５】
このような無線通信アクセス制御を行なうことにより、血圧測定器１１０は、複数端末からの応答があった場合にも、正規ユーザの時計型携帯機１１１との間で確実に通信確立を行なうことができる。
【００７６】
次に、本実施の形態１による通信アクセス方法における、複数端末からの応答があった場合の、他の通信アクセス制御について、図１０のタイムチャートを用いて説明する。
【００７７】
図１０は、本実施の形態１による通信アクセス方法における、複数端末からの応答があった場合の、他の通信アクセス制御のタイムチャートを示す図である。
【００７８】
上述したように、たとえば、図８に示す血圧測定器１１０の通信エリア１３４の中に、同じ通信機能をもつ正規ユーザの時計型携帯機１１１と、不正規ユーザの時計型携帯機１１２が存在し、これらの２つの時計型携帯機を所有する各ユーザの心拍信号が、たまたま一致する場合がある。このような場合には、血圧測定器１１０が送出する接続要求パケットに対して、複数の時計型携帯機器１１１、１１２からの応答がある。
【００７９】
図１０において、心拍パルス信号２００は、血圧測定器１１０が検出した心拍パルスである。無線通信信号出力２０１は、血圧測定器１１０の無線通信部の送信する信号出力である。
【００８０】
正規ユーザの心拍パルス信号２０２は、正規ユーザの時計型携帯機１１１が検出した心拍パルス信号である。無線通信信号出力２０３は、正規ユーザの時計型携帯機１１１の無線通信部の送信する信号出力である。
【００８１】
不正規ユーザの心拍パルス信号２０４は、血圧測定器１１０の周辺にたまたま存在する不正規ユーザの時計型携帯機１１２が検出した心拍パルス信号である。無線通信信号出力２０５は、不正規ユーザの時計型携帯機１１２の無線通信部の送信する信号出力である。
【００８２】
血圧測定器１１０がユーザの最初の心拍パルス信号２０６を検出すると、接続可能期間２０７以内に全端末に向けて接続要求パケット２０９を送信する。正規ユーザの時計型携帯機１１１は、血圧測定器１１０がユーザの最初の心拍パルス信号２０６を検出するのと同じタイミングで心拍パルス信号２１５を検出し、このとき、前記接続要求パケット２０９を受信する。不正規ユーザの時計型携帯機１１２は、その検出した心拍パルス信号２１９、およびそれに続く接続可能期間２２１が、たまたま同じタイミングの場合は、前記血圧測定器１１０が発した接続要求パケット２０９を、自局宛の接続要求パケットと誤認する。
【００８３】
この場合、正規ユーザの時計型携帯機１１１は、ＣＳＭＡ／ＣＡの無線アクセス手順により、前記接続要求パケット２０９の受信に対して、アクノレッジ２１７を応答し、不正規ユーザの時計型携帯機１１２は、ＣＳＭＡ／ＣＡの無線アクセス手順により、前記接続要求パケット２０９の受信に対して、アクノレッジ２２２を応答する。
【００８４】
正規ユーザのアクノレッジ２１７と、不正規ユーザのアクノレッジ２２２を受信した血圧測定器１１０は、正規ユーザのアクノレッジ受信信号２１１と、不正規ユーザのアクノレッジ受信信号２１２の、それぞれの受信レベルを測定する。
【００８５】
血圧測定器１１０は、第２のパルス２０８のタイミングで、通信アクセス手順の第２の手順であるリトライ制御手順として前記アクノレッジ受信信号の信号レベルの高い時計型携帯機の宛先アドレスを指定した、リトライパケット２１０を送信する。この場合、アクノレッジ受信信号の信号レベルの高い不正規ユーザの時計型携帯機１１２の宛先アドレスを指定したリトライパケット２１０を、送信する。
【００８６】
正規ユーザの時計型携帯機１１１は、何度受信しても心拍パルス信号のタイミングが近いため、心拍パルス信号２１６による接続可能期間２１８で、リトライパケット２１０を受信できる。したがって、該正規ユーザの時計型携帯機１１１は、リトライパケット２１０の受信に対して、アクノリッジ信号３００を送信する。
【００８７】
これに対し、不正規ユーザの時計型携帯機１１２は、その検出する心拍パルス信号２２０は、第２のパルス２０８と非同期なため、心拍パルス信号２２０の接続可能期間２２３では、リトライパケット２１０を受信できない。したがって、該不正規ユーザの時計型携帯機１１２は、リトライパケット２１０に対するアクノレッジ信号を送信することができない。
【００８８】
血圧測定器１１０は、前記正規ユーザの時計型携帯機１１２からの、前記リトライパケット２１０の受信についてのアクノリッジ信号３００を受信し、第３のパルス２２５で、該アクノリッジ信号３００を送信した、かつその前に前記アクノレッジ信号２１１を送信した正規ユーザの時計型携帯端末１１１の宛先アドレスを指定した、第２のリトライパケット２１３を、送信する。
【００８９】
該第２のリトライパケット２１３の宛先アドレスの時計型携帯端末は、正規ユーザであるため、その接続可能期間２２６に、前記第２のリトライパケット２１３を受信することができ、この第２のリトライパケット２１３の受信に対して、アクノレッジ２２７を送信する。
【００９０】
血圧測定器１１０は、正規ユーザのアクノレッジ２２７を、無線信号２１４において受信できるため、これを受信した以降の通信は、正規ユーザの時計型携帯端末１１１との間で行う。
【００９１】
この第１、第２のリトライパケットを用いたリトライ制御手順は、応答する時計型携帯機が最後の一台になるまで繰り返し行われる。
【００９２】
このような無線通信アクセス制御を行なうことにより、図９に示す無線通信アクセス制御を行なう場合と同様、血圧測定器１１０は、複数端末からの応答があった場合にも、正規ユーザの時計型携帯機１１１との間で確実に通信確立を行なうことができる。
【００９３】
このような本実施の形態１による通信アクセス方法、あるいは無線通信システムによれば、血圧測定器と時計型携帯機との間で、ユーザの心拍パルスに同期して通信アクセス手順を行い、血圧測定器と時計型携帯機との間の通信確立を行なうようにしたから、ユーザが血圧測定のためにカフを腕に装着するだけで、血圧測定器と時計型携帯機が、ユーザの心拍パルス信号に同期して通信アクセス手順を行って、適切な端末間の通信確立を行い、血圧の測定を完了すれば、特別な操作を行わないでも、間違いなく自分の時計型携帯機にデータを保存でき、不特定多数のユーザが無線通信を使って情報交換する場合でも、通信を行う通信端末同士が、特定のユーザの通信端末であることを確認し、安全にデータ交換をすることができる。
【産業上の利用可能性】
【００９４】
本発明にかかる通信アクセス方法、および無線通信システムは、ユーザが携帯する端末とユーザが操作する他の無線端末間で、適切な通信確立を行い、間違いなくデータ交換をできる機能を有し、自動的にデータ交換が必要なセンサネットワークなどの分野で有用である。
【図面の簡単な説明】
【００９５】
【図１】本発明の実施の形態１による通信アクセス方法におけるイメージ図
【図２】本発明の実施の形態１における血圧測定器の構成図
【図３】本発明の実施の形態１における時計型携帯機の構成図
【図４】本発明の実施の形態１における心拍検出部の構成図
【図５】本発明の実施の形態１による通信アクセス方法における、無線通信アクセス制御のタイムチャート図
【図６】本発明の実施の形態１による通信アクセス方法における、無線通信切断シーケンスのタイムチャート図
【図７】本発明の実施の形態１におけるパケット構成図
【図８】本発明の実施の形態１による通信アクセス方法における、複数端末からの応答に対する無線通信アクセス制御を説明するための図
【図９】本発明の実施の形態１による通信アクセス方法における、複数端末からの応答に対する無線通信アクセス制御のタイムチャート図
【図１０】本発明の実施の形態１による通信アクセス方法における、複数端末からの応答に対する、他の無線通信アクセス制御のタイムチャート図
【符号の説明】
【００９６】
１、１１０  血圧測定器
２、１０  カフ
３  時計型携帯機
４  測定開始スイッチ
６、２０、３１  モニタ
７  通信アンテナ
１１  阻血袋
１４  加圧／排気部
１５  脈拍検出センサ
１６  脈拍検出部
１７、３４  心拍センサ
１８、３３  心拍検出部
１９  コントローラ
２１、３５  無線通信部
２２、３６  アンテナ
３０  携帯機コントローラ
３１  モニタ
３２  記録用メモリ
４０  心拍信号
４１  フィルタ後信号
４２  心拍パルス信号
４３  閾値
４４  アンプ
４５  ハイパスフィルタ
４６  比較器
５０、７０、１１３、２００  血圧測定器の心拍パルス信号
５１、７１、１１４、２０１  血圧測定器の無線信号
５２、７２  時計型携帯機の心拍パルス信号
５３、７３  時計型携帯機の無線信号
５４  血圧測定
５５、１１９、２０６  最初のパルス
５６、１２２、２０９  接続要求パケット
５７  接続要求のアクノレッジ
５８、１２３、１３２、１３３、２０７、２２１  接続可能期間
５９  接続要求パケット
６０  接続予約のアクノレッジ
６１  接続確認パケット
６２  接続確認のアクノレッジ
６３、１２５、２０８  第２のパルス
６４  第３のパルス
６５  通信アクセス区間
６６  通信区間
６７  血圧測定中
７４  血圧測定終了
７５  データ
７６  データのアクノレッジ
７７  切断要求パケット
７８  切断要求のアクノレッジ
７９  切断パケット
８０  切断のアクノレッジ
１００  ヘッダ部
１０１  宛先アドレス
１０２  送信元アドレス
１０３  制御情報
１０４  ペイロード部
１０５  ＣＲＣ部
１１１  正規ユーザの時計型携帯機
１１２  不正規ユーザの時計型携帯機
１１５、２０２  正規ユーザの心拍パルス信号
１１６、２０３  正規ユーザの無線信号
１１７、２０４  不正規ユーザの心拍パルス信号
１１８、２０５  不正規ユーザの無線信号
１２０、２１５  正規ユーザの心拍パルス
１２１、２１９  不正規ユーザの心拍パルス
１２３、２１７、２２７  正規ユーザの接続要求のアクノレッジ
１２４、２２２  不正規ユーザの接続要求のアクノレッジ
１２６、２１０、２１３  リトライパケット
１２７、２１６  正規ユーザの第２の心拍パルス
１２８、２２０  不正規ユーザの第２の心拍パルス
１２９、２２３  不正規ユーザの接続可能期間
１３０、２２７  リトライのアクノレッジ
１３１、２１８  正規ユーザの接続可能期間
１３４  血圧測定器の通信エリア
２２５  第３のパルス
２１１、２１２、２１４  血圧測定器が受信したアクノリッジ
【図１】
2009033480.tif 000003
【図２】
2009033480.tif 000004
【図３】
2009033480.tif 000005
【図４】
2009033480.tif 000006
【図５】
2009033480.tif 000007
【図６】
2009033480.tif 000008
【図７】
2009033480.tif 000009
【図８】
2009033480.tif 000010
【図９】
2009033480.tif 000011
【図１０】
2009033480.tif 000012